(57)【要約】      （修正有）【課題】バッテリーで駆動させるタイプのプリンタや情報処理装置では、印字時の消費電力を抑えバッテリーの消耗を少なくする。【解決手段】種々の制御を実行するデータ処理部と、用紙に情報を印字する印字部と、バッテリーの電圧を監視する電圧監視部と、電圧監視部がバッテリーの電圧が所定電圧以上であることを検出したか判断する電圧判断手段１０１と、電圧判断手段１０１がバッテリーの電圧が所定電圧以上であることを判断した場合、データ処理部は印字部を制御して第１の消費電力で印字を実行する第１の印字手段１０２と、電圧判断手段１０１がバッテリーの電圧が所定電圧以上ではないことを判断した場合、データ処理部は印字部を制御して第１の消費電力より少ない第２の消費電力で印字を実行する第２の印字手段１０３と、を備える。【選択図】図２
2014030945.tif 000002
【特許請求の範囲】
【請求項１】
種々の制御を実行するデータ処理部と、
用紙に情報を印字する印字部と、
バッテリーの電圧を監視する電圧監視部と、
前記電圧監視部が前記バッテリーの電圧が所定電圧以上であることを検出したか判断する電圧判断手段と、
前記電圧判断手段が前記バッテリーの電圧が所定電圧以上であることを判断した場合、前記データ処理部は前記印字部を制御して第１の消費電力で印字を実行する第１の印字手段と、
前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、
を備えたプリンタ。
【請求項２】
前記第１の印字手段は前記印字部をａブロック（ａは整数）に分けて各ブロックに順次電圧を印加し、前記第２の印字手段は前記印字部をｂブロック（ａ＜ｂ）に分けて各ブロックに順次電圧を印加することを特徴とする請求項１に記載のプリンタ。
【請求項３】
前記第２の印字手段による前記印字部での印字ドット数は、前記第１の印字手段による前記印字部での印字ドット数より間引いたことを特徴とする請求項１または２に記載のプリンタ。
【請求項４】
前記電圧監視部は商用電源が接続されているか否かを判断する機能を備え、前記電圧監視部が前記商用電源が接続されていることを判断した場合、前記データ処理部は、前記第１の消費電力より多い第３の消費電力で前記印字部を制御して印字を実行する第３の印字手段を備えたことを特徴とする請求項１から３のいずれかに記載のプリンタ。
【請求項５】
種々の制御を実行するデータ処理部と、
用紙に情報を印字する印字部と
バッテリーの電圧を監視する電圧監視部と、
前記電圧監視部が前記バッテリーの電圧が所定電圧以上であることを検出したか判断する電圧判断手段と、
前記電圧判断手段が前記バッテリーの電圧が所定電圧以上であることを判断した場合、前記データ処理部は前記印字部を制御して第１の消費電力で印字を実行する第１の印字手段と、
前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、
を備えた情報処理装置。
【請求項６】
種々の制御を実行するデータ処理部と、用紙にデータを印字する印字部と、バッテリーの電圧を監視する電圧監視部と、を備えたコンピュータに、
前記電圧監視部が前記バッテリーの電圧が所定電圧以上であることを検出したか判断する電圧判断手段と、
前記電圧判断手段が前記バッテリーの電圧が所定電圧以上であることを判断した場合、前記データ処理部は前記印字部を制御して第１の消費電力で印字を実行する第１の印字手段と、
前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、
を機能させるプログラム。
【発明の詳細な説明】
【技術分野】
【０００１】
本発明の実施の形態は、プリンタ、情報処理装置、およびプログラムに関する。
【背景技術】
【０００２】
パーソナルコンピュータ（以降「ＰＣ」という）を初めとする情報処理装置は今では生活に欠かせない必需品となっており、身近に必ず存在するようになってきている。これに伴いＰＣ等で作成したデータ等を印字するプリンタも普及している。代表的なプリンタとして、サーマルプリンタやインクジェットプリンタ、レーザプリンタ等が存在する。これらのプリンタは、印字に多くの電力を消費するため、ＡＣ電源に接続して使用されるものが多い。しかしながら、最近はパソコンが小型化されモバイルタイプのバッテリー駆動型のパソコンも普及しており、パソコンが屋外で使用されたり携帯して使用されたりする使用形態が一般化している。これに伴い、サーマルプリンタを代表とする、ＡＣ電源に加えバッテリーでも駆動し持ち運び可能なプリンタが開発されている。また、特にサーマルプリンタやインクジェットプリンタのようなプリンタ部が内蔵された情報処理装置も存在し、このような情報処理装置は、プリンタ部を含めた装置全体がＡＣ電源またはバッテリーで駆動するタイプのものもある。
【発明の概要】
【発明が解決しようとする課題】
【０００３】
しかしながら、プリンタまたは情報処理装置内のプリンタ部での印字には多大な電力を要することから、バッテリーで駆動させるタイプのプリンタや情報処理装置では、駆動させたときのバッテリーの消耗が激しく、過度な使用はバッテリーの寿命を縮めることとなる。また、長時間使用するためには、印字時の消費電力を抑えバッテリーの消耗を少なくすることが望まれている。
【課題を解決するための手段】
【０００４】
第１の実施の形態のプリンタは、種々の制御を実行するデータ処理部と、用紙に情報を印字する印字部と、バッテリーの電圧を監視する電圧監視部と、前記電圧監視部が前記バッテリーの電圧が所定電圧以上であることを検出したか判断する電圧判断手段と、前記電圧判断手段が前記バッテリーの電圧が所定電圧以上であることを判断した場合、前記データ処理部は前記印字部を制御して第１の消費電力で印字を実行する第１の印字手段と、前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、を備える。
【０００５】
第２の実施の形態の情報処理装置は、種々の制御を実行するデータ処理部と、用紙に情報を印字する印字部とバッテリーの電圧を監視する電圧監視部と、前記電圧監視部が前記バッテリーの電圧が所定電圧以上であることを検出したか判断する電圧判断手段と、前記電圧判断手段が前記バッテリーの電圧が所定電圧以上であることを判断した場合、前記データ処理部は前記印字部を制御して第１の消費電力で印字を実行する第１の印字手段と、前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、を備える。
【０００６】
また、第１および第２の実施の形態のプログラムは、種々の制御を実行するデータ処理部と、用紙にデータを印字する印字部と、バッテリーの電圧を監視する電圧監視部と、を備えたコンピュータに、前記電圧監視部が前記バッテリーの電圧が所定電圧以上であることを検出したか判断する電圧判断手段と、前記電圧判断手段が前記バッテリーの電圧が所定電圧以上であることを判断した場合、前記データ処理部は前記印字部を制御して第１の消費電力で印字を実行する第１の印字手段と、前記電圧判断手段が前記バッテリーの電圧が所定電圧以上ではないことを判断した場合、前記データ処理部は前記印字部を制御して前記第１の消費電力より少ない第２の消費電力で印字を実行する第２の印字手段と、を機能させる。
【図面の簡単な説明】
【０００７】
【図１】図１は、第１の実施の形態のプリンタのブロック図である。
【図２】図２は、第１の実施の形態のプリンタの機能ブロック図である。
【図３】図３は、第１の実施の形態の印字部のブロック図である。
【図４】図４は、第１の実施の形態のプリンタのフローチャートである。
【図５】図５は、第１の実施の形態のプリンタの印字部の電圧印加状態を示す模式図である。
【図６】図６は、第１の実施の形態のプリンタでの印字のイメージの図である。
【図７】図７は、第２の実施の形態の情報処理装置のブロック図である。
【図８】図８は、第２の実施の形態の情報処理装置の機能ブロック図である。
【図９】図９は、第２の実施の形態の情報処理装置のフローチャートである。
【発明を実施するための形態】
【０００８】
（第１の実施の形態）
以下、図１から図６を参照して、第１の実施の形態に係るプリンタについて詳細に説明する。なお、以下に説明する実施の形態によりこの発明が限定されるものではない。
【０００９】
図１を用いて第１の実施の形態のプリンタ１のハードウェアの電気的接続を示すブロック図を説明する。図１に示すように、プリンタ１は、制御主体となるＣＰＵ（Central  Processing  Unit）２、各種プログラムを記憶するＲＯＭ（Read  Only  Memory）３、各種データを展開するＲＡＭ（Random  Access  Memory）４、各種プログラムを記憶するフラッシュメモリ等のメモリ部５、タイマー６等を備えている。ＣＰＵ２、ＲＯＭ３、ＲＡＭ４、メモリ部５、タイマー６は、互いにデータバス１７を介して接続されている。ＣＰＵ２とＲＯＭ３とＲＡＭ４とメモリ部５が、制御部１００を構成する。すなわち、制御部１００は、ＣＰＵ２がＲＯＭ３やメモリ部５に記憶されたプログラムに従って動作することによって、後述する制御処理を実行する。
【００１０】
また、データバス１７には、表示器８、キーボード１０、印字部１２、搬送部１４が、それぞれ表示コントローラ７、キーボードコントローラ９、印字コントローラ１１、搬送コントローラ１３を介して接続されている。さらに、データバス１７には、外部から印字データを受信するデータ受信部１６がデータ受信Ｉ／Ｆ１５を介して接続されている。
【００１１】
また、プリンタ１は、直流電圧（ＤＣ電圧）を所定電圧に昇降させるＤＣ／ＤＣコンバータ１８と充電可能なバッテリー２０、商用電源（ＡＣ電源）が接続されているか否かの判断およびバッテリー２０の電圧を測定する電源電圧監視部２１を内蔵している。ＡＣ電源が接続されている場合は、ＡＣアダプタ１９で直流電圧に変換する。第１の実施の形態では、ＡＣアダプタ１９からの出力電圧は直流２４ボルト（Ｖ）であり、ＤＣ／ＤＣコンバータ１８の出力は直流５Ｖである。すなわち、ＡＣ電源が接続されているときは、接続線２２の電圧は直流２４Ｖであり、接続線２３の電圧は直流５Ｖである。接続線２２には、表示器８、キーボード１０、印字部１２、搬送部１４が接続されており、これらは直流２４Ｖで駆動される。接続線２３には、ＣＰＵ２、ＲＯＭ３、ＲＡＭ４、メモリ部５、タイマー６、表示コントローラ７、キーボードコントローラ９、印字コントローラ１１、搬送コントローラ１３、データ受信Ｉ／Ｆ１５が接続されており、これらは直流５Ｖで駆動される。
【００１２】
一方バッテリー２０は、ＡＣ電源が接続されているときは充電され、ＡＣ電源が接続されていないときは放電する。バッテリー２０は、満タン充電時は接続線２２の電圧を２０Ｖ以上で２４Ｖ程度に維持する。また、接続線２３の電圧は５Ｖに維持する。
また、電源電圧監視部２１は、バッテリー２０の電圧を測定しており、測定結果として得られた電圧情報を接続線２４を介してＣＰＵ２に送信している。また電源電圧監視部２１は、ＡＣ電源が接続されているか否かの判断結果の情報も接続線２４を介してＣＰＵ２に送信している。
【００１３】
次に、図２を用いてプリンタ１の機能ブロック図を説明する。図２において、制御部１００がＲＯＭ３やメモリ部５に記憶された各種プログラムに従うことで、電圧判断手段１０１、第１の印字手段１０２、第２の印字手段１０３を機能させる。
【００１４】
電圧判断手段１０１は、電源電圧監視部２１がバッテリー２０の電圧が所定電圧以上であることを検出したか判断する機能を備えている。第１の印字手段１０２は、電圧判断手段が所定電圧以上であることを判断した場合、第１の電力がバッテリー２０から印字部に供給されるようデータ処理部が印字部１２を制御して印字を実行する機能を備えている。第２の印字手段１０３は、電圧判断手段が所定電圧以上ではないことを判断した場合、第１の電力より少ない第２の電力がバッテリー２０から印字部に供給されるようデータ処理部が印字部を制御して印字を実行する機能を備えている。
【００１５】
次に、図３を用いて印字部１２の詳細について説明する。第１の実施の形態の印字部１２は熱によって図示しない感熱紙を発色させる方式で印字を行うタイプの印字機構であり、通電制御部３１と印字ヘッド３２を備えている。印字ヘッド３２は多数の印字素子３７を感熱紙の搬送方向と直交する方向に一列に配置しており、この印字素子３７に通電することで印字素子３７は発熱し、感熱紙に熱を与えている。印字ヘッド３２は第１エリア３３、第２エリア３４、第３エリア３５、第４エリア３６の４つのエリアに区分されており、各エリアへの通電の制御、および各印字素子３７への通電制御を通電制御部３１が行っている。具体的には、第１エリア３３〜第４エリア３６のどのエリアの印字素子３７をどのタイミングで通電するかの制御、および、各エリアの各印字素子３７のどの素子に通電するかの制御を行っている。
【００１６】
次に、図４を用いて、プリンタ１における制御処理の概要について説明する。プリンタ１の制御部１００が以下の制御を実行する。
【００１７】
図４において、プリンタ１の制御部１００は、データ受信部１６に外部から印字データの受信があるかを判断する（ステップＳＰ１）。印字データの受信がある場合は（ステップＳＰ１のＹｅｓ）、次に制御部１００は、電源電圧監視部２１から接続線２４を介して得られる情報に基づき、接続されている電源が商用電源であるＡＣ電源であるかを判断する（ステップＳＰ２）。ＡＣ電源が接続されていると判断した場合（ステップＳＰ２のＹｅｓ）、制御部１００は、印字ヘッド３２のすべてのエリアのすべての印字素子３７を通電するように通電制御部３１を制御する（ステップＳＰ３）。制御部１００が搬送部１４を制御して感熱紙を搬送させ、通電制御部３１は、第１エリア〜第４エリアに含まれるすべての印字素子３７に同時に通電する（図５（ａ）を参照）。このようにして印字部１２で感熱紙に印字を行う。ステップＳＰ３によって印字部１２で印字された例を図６（ａ）に示す。文字「Ａ」はすべて発色されて形成されている。
【００１８】
次に制御部１００は、電源電圧監視部２１から接続線２４を介して得られる情報により、接続されている電源がＡＣ電源でなくバッテリー２０であると判断した場合（ステップＳＰ２のＮｏ）、次に電源電圧監視部２１から得られるバッテリー電圧２０の電圧情報から、制御部１００は電圧判断手段１０１を機能させ、バッテリー２０の電圧が２０Ｖ以上であるか２０Ｖ未満であるかを判断する（ステップＳＰ４）。
【００１９】
制御部１００がバッテリー２０の電圧が２０Ｖ以上であることを判断した場合は（ステップＳＰ４のＹｅｓ）、バッテリー２０の電圧は高いレベルを維持しているものの、プリンタ１の印字部１２を含め各部がバッテリーで駆動されることから、制御部１００は、第１の印字手段１０２を機能させ、図５（ｂ）（ｃ）に示すように通電制御部３１を制御する。すなわち、制御部１００は、まず第１エリア３３と第２エリア３４の印字素子３７に通電し、続いて第３エリア３５と第４エリア３６の印字素子３７を通電するよう通電制御部３１を制御する（ステップＳＰ５）。また、制御部１００は、第１の印字手段１０２を機能させ、搬送部１４によって感熱紙が所定距離だけ搬送される毎に印字素子３７への通電と非通電を交互に繰り返すように通電制御部３１を制御し（ステップＳＰ５）、縦方向のドットを間引く。このようにして、制御部１００は、第１の消費電力で印字を実行できるように通電制御部３１を制御する。
【００２０】
通電制御部３１は、まず第１エリア３３と第２エリア３４に含まれるすべての印字素子３７に通電する（図５（ｂ）を参照）。続いて、第３エリア３５と第４エリア３６に含まれるすべての印字素子３７に通電する（図５（ｃ）を参照）。また、通電制御部３１は、制御部１００が制御する搬送部１４によって感熱紙が所定距離だけ搬送される毎に印字素子３７への通電と非通電を交互に繰り返す。このようにして印字部１２で感熱紙に印字を行う。ステップＳＰ６によって印字された例を図６（ｂ）に示す。文字「Ａ」は縦方向に所定間隔で発色する部分と発色しない部分が交互に形成されている。
【００２１】
制御部１００がバッテリー２０の電圧が２０Ｖ未満であることを判断した場合は（ステップＳＰ４のＮｏ）、バッテリー２０が印字部１２で印字を実行するための十分な電圧を維持できない恐れがあるため、制御部１００は第２の印字手段１０３を機能させ、図５（ｄ）（ｅ）（ｆ）（ｇ）に示すように通電制御部３１を制御する。すなわち、制御部１００は、まず第１エリア３３の印字素子３７に通電し、次に第２エリア３４の印字素子３７に通電し、次に第３エリア３５の印字素子３７を通電し、最後に第４エリア３６の印字素子３７を通電するよう通電制御部３１を制御する（ステップＳＰ６）。また、制御部１００は、第２の印字手段１０３を機能させ、搬送部１４によって感熱紙が所定距離だけ搬送される毎に印字ヘッド３２への通電と非通電を交互に繰り返すように通電制御部３１を制御し（ステップＳＰ６）、縦方向のドットを間引く。さらに制御部１００は、第２の印字手段１０３を機能させ、印字素子３７を所定個数置き（例えば１個置きや２個置き）に通電する印字素子３７と非通電の印字素子３７となるよう通電制御部３１を制御し（ステップＳＰ６）、横方向のドットを間引く。このようにして、制御部１００は、第１の消費電力より少ない第２の消費電力で印字を実行できるように通電制御部３１を制御する。
【００２２】
通電制御部３１は、まず第１エリア３３に含まれる印字素子３７のうち制御部１００が通電するとした印字素子３７に通電する（図５（ｄ）を参照）。次に、第２エリア３４に含まれる印字素子３７のうち制御部１００が通電するとした印字素子３７に通電する（図５（ｅ）を参照）。次に、第３エリア３５に含まれる印字素子３７のうち制御部１００が通電するとした印字素子３７に通電する（図５（ｆ）を参照）。最後に、第４エリア３６に含まれる印字素子３７のうち制御部１００が通電するとした印字素子３７に通電する（図５（ｇ）を参照）。また、通電制御部３１は、制御部１００が制御する搬送部１４によって感熱紙が所定距離だけ搬送される毎に印字素子３７への通電と非通電を交互に繰り返す。さらに、通電制御部３１は、印字素子３７を所定個数置き（例えば１個置きや２個置き）に通電する印字素子３７のみに通電する。このようにして感熱紙に印字を行う。ステップＳＰ６によって印字部１２で印字された例を図６（ｃ）に示す。文字「Ａ」は縦方向および横方向に所定間隔で発色する部分と発色しない部分が交互に形成されている。
【００２３】
なお、データ受信部１６にデータがない場合は（ステップＳＰ１のＮｏ）、データが入力されるまで待機する。
【００２４】
このような第１の実施の形態のプリンタ１では、制御部１００が、バッテリー２０の電圧が２０Ｖ以上であるか２０Ｖ未満であるかを判断し、２０Ｖ未満であると判断した場合には、制御部１００は、印字ヘッド３２の第１エリア３３から第４エリア３６へと順番に通電し、搬送部１４によって感熱紙が所定距離だけ搬送される毎に印字ヘッド３２への通電と非通電を交互に繰り返すようにし、印字素子３７を所定個数置き（例えば１個置きや２個置き）に通電する印字素子３７と非通電の印字素子３７となるように通電制御部３１を制御したことから、バッテリー２０の電圧が２０Ｖ以上のときの印字より少ない消費電力で印字を実行できることから、バッテリー２０の消耗を少なくすることができる。また、バッテリー２０の長寿命化にもつながる。
【００２５】
また、第１の実施の形態では、バッテリー２０の電圧が２０Ｖ以上のときには印字ヘッドを２分割して印字したのに対し、バッテリー２０の電圧が２０Ｖ未満のときには印字ヘッドを４分割して順次印字するようにしたことから、バッテリー２０の電圧が２０Ｖ未満のときにはより少ない消費電力で印字を実行できることから、バッテリー２０の消耗を少なくすることができる。また、バッテリー２０の長寿命化にもつながる。
【００２６】
また、第１の実施の形態では、バッテリー２０の電圧が２０Ｖ未満のときには、制御部１００は、印字素子３７を所定個数置き（例えば１個置きや２個置き）に通電する印字素子３７と非通電の印字素子３７となるように通電制御部３１を制御したことから、バッテリー２０の電圧が２０Ｖ未満のときにはより少ない消費電力で印字を実行できることから、バッテリー２０の消耗を少なくすることができる。また、バッテリー２０の長寿命化にもつながる。
【００２７】
また、第１の実施の形態では、ＡＣ電源が接続されている場合には、制御部１００は、印字ヘッド３２のすべてのエリアのすべての印字素子３７を通電するように通電制御部３１を制御するようにしたことから、ＡＣ電源が接続されているときは鮮明な印字を実行することができる。
【００２８】
（第２の実施の形態）
次に、図７から図９を用いて、第２の実施の形態について説明する。第２の実施の形態は、第１の実施の形態のプリンタを情報処理装置である販売時点情報管理装置（Ｐｏｉｎｔ  ｏｆ  Ｓａｌｅｓ）（以下ＰＯＳ端末と称す）４１に搭載した実施の形態である。なお、以下に説明する実施の形態によりこの発明が限定されるものではない。
【００２９】
図７はＰＯＳ端末４１のハードウェアの電気的接続を示すブロック図である。図７において、ＰＯＳ端末４１は、制御主体となるＣＰＵ（Central  Processing  Unit）４２、各種プログラムを記憶するＲＯＭ（Read  Only  Memory）４３、各種データを展開するＲＡＭ（Random  Access  Memory）４４、各種プログラムを記憶するＨＤＤ等のメモリ部４５、タイマー４６等を備えている。ＣＰＵ４２、ＲＯＭ４３、ＲＡＭ４４、メモリ部４５、タイマー４６は、互いにデータバス５９を介して接続されている。ＣＰＵ４２とＲＯＭ４３とメモリ部４５が、制御部２００を構成する。すなわち、制御部２００は、ＣＰＵ４２がＲＯＭ４３やＲＡＭ４４やメモリ部４５に記憶されたプログラムに従って動作することによって、後述する制御処理を実行する。
【００３０】
また、データバス５９には、客用表示器４８、店員用表示器５０、キーボード５２、バーコードリーダ５４、印字部５６、搬送部５８が、それぞれ表示コントローラ４７、表示コントローラ４９、キーボードコントローラ５１、バーコードリーダコントローラ５３、印字コントローラ５５、搬送コントローラ５７を介して接続されている。
【００３１】
また、ＰＯＳ端末４１は、直流電圧（ＤＣ電圧）を所定電圧に昇降させるＤＣ／ＤＣコンバータ６０と充電可能なバッテリー６２、商用電源（ＡＣ電源）が接続されているか否かの判断およびバッテリー６２の電圧を測定する電源電圧監視部６３を内蔵している。ＡＣ電源が接続されている場合は、ＡＣアダプタ６１で直流電圧に変換する。第２の実施の形態では、ＡＣアダプタ６１からの出力電圧は直流２４ボルト（Ｖ）であり、ＤＣ／ＤＣコンバータ６０の出力は直流５Ｖである。すなわち、ＡＣ電源が接続されているときは、接続線６４の電圧は２４Ｖであり、接続線６５の電圧は５Ｖである。上記第１の実施の形態と同様、２４Ｖおよび５Ｖの電圧でＰＯＳ端末４１の各部に電圧を印加する。
【００３２】
一方バッテリー６２は、ＡＣ電源が接続されているときは充電され、ＡＣ電源が接続されていないときは放電する。バッテリー６２は、満タン充電時は接続線６４の電圧を２０Ｖ以上で２４Ｖ程度に維持する。また、接続線６５の電圧は５Ｖに維持する。
【００３３】
また、電源電圧監視部６３は、バッテリー６２の電圧を測定しており、測定結果として得られた電圧情報を接続線６６を介してＣＰＵ４２に送信している。また電源電圧監視部６３は、ＡＣ電源が接続されているか否かの判断結果の情報も接続線６６を介してＣＰＵ４２に送信している。
【００３４】
印字部５６の構成は、図３で説明した印字部１２と同様の構成を備えている。印字部５６の詳細は図示せず、説明も省略する。
【００３５】
次に、図８を用いてＰＯＳ端末４１の機能ブロック図を説明する。図８において、制御部２００がＲＯＭ４３やメモリ部４５に記憶された各種プログラムに従うことで、電圧判断手段２０１、第１の印字手段２０２、第２の印字手段２０３を機能させる。
【００３６】
電圧判断手段２０１は、電源電圧監視部６３がバッテリー６２の電圧が所定電圧以上であることを検出したか判断する機能を備えている。第１の印字手段２０２は、電圧判断手段２０１が所定電圧以上であることを判断した場合、第１の電力がバッテリーから印字部に供給されるようデータ処理部が印字部５６を制御して印字を実行する機能を備えている。第２の印字手段２０３は、電圧判断手段が所定電圧以上ではないことを判断した場合、第１の消費電力より少ない第２の消費電力が前記バッテリーから印字部に供給されるようデータ処理部が印字部を制御して印字を実行する機能を備えている。
【００３７】
次に、図９を用いて、ＰＯＳ端末４１における制御処理の概要について説明する。ＰＯＳ端末４１の制御部２００が以下の制御を実行する。なお図９においてステップＳＰ１５からステップＳＰ２１までの制御は、図４におけるステップＳＰ２からステップＳＰ６までの制御と同様であるので、以下の説明では同一部分の説明を簡素化する。
【００３８】
図９において、制御部２００は、バーコードリーダ５４からのデータが入力されたかを判断し（ステップＳＰ１１）、締め処理が実行される締めキーが操作されたかを判断する（ステップＳＰ１３）。バーコードリーダ５４からのデータ入力があると判断した場合は（ステップＳＰ１１のＹｅｓ）、ＰＯＳ端末４１において入力されたデータに基づいて商品登録処理を実行する（ステップＳＰ１２）。バーコードリーダ５４からのデータではなくて締めキーが操作されたと判断した場合は（ステップＳＰ１１のＮｏ、ステップＳＰ１３のＹｅｓ）、当該顧客に対して締め処理を実行する（ステップＳＰ１４）。
【００３９】
次に制御部２００は、電源電圧監視部６３から接続線６６を介して得られる情報に基づき、接続されている電源が商用電源であるＡＣ電源であるかを判断する（ステップＳＰ１５）。ＡＣ電源であると判断した場合（ステップＳＰ１５のＹｅｓ）、制御部２００は、印字部５６のすべての印字素子を通電するように通電制御部を制御する（ステップＳＰ１６）。制御部２００が搬送部５８を制御して感熱紙を搬送させ、通電制御部は、すべての印字素子に同時に通電する。このようにして印字部５６で感熱紙に印字を行う。
【００４０】
次に制御部２００は、電源電圧監視部６３から接続線６６を介して得られる情報により、接続されている電源がＡＣ電源でなくバッテリー６２であると判断した場合（ステップＳＰ１５のＮｏ）、次に電源電圧監視部６３から得られるバッテリー６２の電圧情報から、制御部２００は電圧判断手段２０１を機能させ、バッテリー６２の電圧が２０Ｖ以上であるか２０Ｖ未満であるかを判断する（ステップＳＰ１８）。
【００４１】
制御部２００がバッテリー６２の電圧が２０Ｖ以上であることを判断した場合は（ステップＳＰ１８のＹｅｓ）、制御部２００は、第１の印字手段２０２を機能させ、通電制御部を制御する。すなわち、制御部２００は、印字部５６への通電を２分割して順次通電するよう通電制御部を制御する（ステップＳＰ１９）。また、制御部２００は、第１の印字手段２０２を機能させ、搬送部５８によって感熱紙が所定距離だけ搬送される毎に印字素子への通電と非通電を交互に繰り返すように通電制御部を制御し（ステップＳＰ１９）、縦方向のどっとを間引く。。このようにして、制御部２００は、第１の消費電力で印字を実行できるように通電制御部を制御する。
【００４２】
通電制御部は、制御部２００で制御され、印字部５６への通電を２分割して順次通電し、また、制御部２００が制御する搬送部５８によって感熱紙が所定距離だけ搬送される毎に印字素子への通電と非通電を交互に繰り返す。このようにして印字部５６で感熱紙に印字を行う。
【００４３】
制御部２００がバッテリー６２の電圧が２０Ｖ未満であることを判断した場合は（ステップＳＰ１８のＮｏ）、制御部２００は第２の印字手段２０３を機能させ、通電制御部を制御する。すなわち、制御部２００は、印字部５６への通電を４分割して順次通電するよう通電制御部を制御する（ステップＳＰ２１）。また、制御部２００は、第２の印字手段２０３を機能させ、搬送部５８によって感熱紙が所定距離だけ搬送される毎に印字素子への通電と非通電を交互に繰り返すように通電制御部を制御し（ステップＳＰ２１）、縦方向のドットを間引く。さらに、バッテリー６２の電圧が２０Ｖ未満のときには、制御部２００は、印字素子を所定個数置き（例えば１個置きや２個置き）に通電する印字素子と非通電の印字素子となるように通電制御部を制御し（ステップＳＰ２１）、横方向のドットを間引く。このようにして、制御部２００は、第１の消費電力より少ない第２の消費電力で印字を実行できるように通電制御部を制御する。
【００４４】
通電制御部は、制御部２００で制御され、印字部５６への通電を４分割して順次通電し、また、制御部２００が制御する搬送部５８によって感熱紙が所定距離だけ搬送される毎に印字素子への通電と非通電を交互に繰り返す。このようにして感熱紙に印字を行う（ステップＳＰ２１）。さらに、通電制御部は、印字素子を所定個数置き（例えば１個置きや２個置き）に通電する印字素子のみに通電する。このようにして印字部５６で感熱紙に印字を行う。
【００４５】
このような第２の実施の形態のＰＯＳ端末４１では、バッテリー６２の消耗を防ぐことができる。また、バッテリー６２の長寿命化にもつながる。
【００４６】
また、第２の実施の形態では、印字ヘッドを４分割して順次印字するようにしたことから、バッテリー６２の消耗を防ぐことができる。また、バッテリー６２の長寿命化にもつながる。
【００４７】
また、第２の実施の形態では、制御部２００は、印字素子を所定個数置き（例えば１個置きや２個置き）に通電する印字素子と非通電の印字素子となるように通電制御部を制御したことから、バッテリー６２の消耗を防ぐことができる。また、バッテリー６２の長寿命化にもつながる。
【００４８】
また、第２の実施の形態では、ＡＣ電源が接続されている場合には、鮮明な印字を実行することができる。
【００４９】
なお、第１および第２の実施の形態は、例として提示したものであり、発明の範囲を限定することは意図していない。これらの第１および第２の実施の形態は、その他の様々な形態で実施されることが可能であり、発明の要旨を逸脱しない範囲で、種々の省略、置き換え、変更を行うことができる。これらの第１および第２の実施の形態やその変形は、発明の範囲や要旨に含まれるとともに、特許請求の範囲に記載された発明とその均等の範囲に含まれる。
【００５０】
例えば第１の実施の形態では、制御部１００がバッテリー２０の電圧が２０Ｖ以上であると判断したときには、制御部１００は、印字ヘッド３２を２分割して通電し、かつ搬送部１４によって感熱紙が所定距離だけ搬送される毎に印字ヘッド３２への通電と非通電を交互に繰り返すように制御したが、どちらか一方の制御だけでもよい。第２の実施の形態でも同様である。
【００５１】
また、第１の実施の形態では、制御部１００がバッテリー２０の電圧が２０Ｖ未満であると判断したときには、印字ヘッド３２を４分割して順次通電し、かつ搬送部１４によって感熱紙が所定距離だけ搬送される毎に印字ヘッド３２への通電と非通電を交互に繰り返すようにし、さらに印字素子３７を所定個数置き（例えば１個置きや２個置き）に通電する印字素子と非通電の印字素子となるように通電制御部３１を制御したが、バッテリー２０の電圧が２０Ｖ以上のときより消費電力が少ないのであれば、これらのすべてを同時に実行することは必須ではない。第２の実施の形態でも同様である。
【００５２】
なお、第１および第２の実施の形態のプリンタ、情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５３】
また、第１および第２の実施の形態のプリンタ、情報処理装置で実行されるプログラムを、インターネット等のネットワークに接続されたコンピュータ上に格納し、ネットワーク経由でダウンロードさせることにより提供するように構成しても良い。また、第１および第２の実施の形態のプリンタ、情報処理装置で実行されるプログラムをインターネット等のネットワーク経由で提供または配布するように構成してもよい。
【００５４】
また、第１および第２の実施の形態のプリンタ、情報処理装置で実行されるプログラムを、ＲＯＭ等に予め組み込んで提供するように構成してもよい。
【符号の説明】
【００５５】
１００  制御部
１０１  電圧判断手段
１０２  第１の印字手段
１０３  第２の印字手段
２００  制御部
２０１  電圧判断手段
２０２  第１の印字手段
２０３  第２の印字手段
【先行技術文献】
【特許文献】
【００５６】
【特許文献１】特開平９−１４５４２１号公報
【図１】
2014030945.tif 000003
【図２】
2014030945.tif 000004
【図３】
2014030945.tif 000005
【図４】
2014030945.tif 000006
【図５】
2014030945.tif 000007
【図６】
2014030945.tif 000008
【図７】
2014030945.tif 000009
【図８】
2014030945.tif 000010
【図９】
2014030945.tif 000011